(57)【要約】【課題】水分などの吸着物質を吸着及び脱離する性能を向上させ、小型化を図る。【解決手段】吸着体装置において、長尺の板状に形成され、板厚方向に貫通するハニカム状又は格子状の複数の穴１６を有して空気中に含まれる吸着物質を吸着及び脱離可能な吸着体１４ａ、１４ｂと、吸着体１４ａ、１４ｂを長手方向に沿った中心線回りに回転可能に収容するケース１５と、ケース１５内に形成され、吸着体１４ａ、１４ｂの一部が位置する第１空気通路２２と、ケース１５内に形成され、吸着体１４ａ、１４ｂの他の一部が位置する第２空気通路２３と、を備え、吸着体１４ａ、１４ｂが中心線回りに回転することにより、吸着体１４ａ、１４ｂが第１空気通路２２内の位置と第２空気通路２３内の位置とに移動する。【選択図】    図１
2009024917.tif 000002
【特許請求の範囲】
【請求項１】
長尺の板状に形成され、板厚方向に貫通するハニカム状又は格子状の複数の穴を有して空気中に含まれる吸着物質を吸着及び脱離可能な吸着体と、
前記吸着体を長手方向に沿った中心線回りに回転可能に収容するケースと、
前記ケース内に形成され、前記吸着体の一部が位置する第１空気通路と、
前記ケース内に形成され、前記吸着体の他の一部が位置する第２空気通路と、
を備え、
前記吸着体が中心線回りに回転することにより、前記吸着体が前記第１空気通路内の位置と前記第２空気通路内の位置とに移動することを特徴とする吸着体装置。
【請求項２】
前記吸着体は、前記ケース内を前記第１空気通路と前記第２空気通路とに仕切る仕切体を備えることを特徴とする請求項１記載の吸着体装置。
【請求項３】
室内の空気が吸い込まれる吸込口とこの吸込口から吸い込まれた空気が室内に吹き出す吹出口とを有する調湿装置本体と、
吸着物質として水分を対象とし、前記調湿装置本体内に設置される請求項１又は２記載の吸着体装置と、
前記吸着体を前記中心線回りに回転させる駆動部と、
前記調湿装置本体内に設置され、空気を吸い込んで吸い込んだ空気を前記第１空気通路内を通して室外に排気する室外排気用ファンと、
前記調湿装置本体内に前記吸着体の長手方向と平行に設置され、室内の空気を前記吸込口から吸い込んで吸い込んだ空気を前記第２空気通路内を通して前記吹出口から室内に吹き出す横流ファンと、
前記調湿装置本体内に設置され、前記吸着体の前記第１空気通路内に位置する部分と前記吸着体の前記第２空気通路内に位置する部分との少なくとも一方を加熱する加熱部と、
を備えることを特徴とする調湿装置。
【請求項４】
室内の空気が吸い込まれる吸込口とこの吸込口から吸い込まれた空気が室内に吹き出す吹出口とを有する空気調和機の室内機本体と、
前記室内機本体内に設置され、前記吸込口から吸い込まれて前記吹出口から吹き出す空気を加熱する熱交換器と、
吸着物質として水分を対象とし、前記室内機本体内に設置される請求項１又は２記載の吸着体装置と、
前記吸着体を中心線回りに回転させる駆動部と、
前記室内機本体内に設置され、空気を吸い込んで吸い込んだ空気を前記第１空気通路内を通して室外に排気する室外排気用ファンと、
前記室内機本体内に前記吸着体の長手方向と平行に設置され、室内の空気を前記吸込口から吸い込んで吸い込んだ空気を前記第２空気通路内を通して前記吹出口から室内に吹き出す横流ファンと、
前記室内機本体内に設置され、前記吸着体の前記第１空気通路内に位置する部分と前記吸着体の前記第２空気通路内に位置する部分との少なくとも一方を加熱する加熱部と、
を備えることを特徴とする空気調和機の室内機。
【請求項５】
前記加熱部は前記熱交換器であり、前記吸着体装置が前記吹出口の上方側に配置され、前記熱交換器で加熱された空気を前記第２空気通路内に導く案内部が設けられていることを特徴とする請求項４記載の空気調和機の室内機。
【発明の詳細な説明】
【技術分野】
【０００１】
本発明は、空気中の水分を吸着及び脱離可能な吸着体装置、この吸着体装置を用いる調湿装置及び空気調和機の室内機に関する。
【背景技術】
【０００２】
例えば、下記特許文献１に記載されているように、空気中の水分を吸着及び脱離可能な吸着体を用いて室内の加湿を行う加湿装置が知られている。
【０００３】
下記特許文献１に記載された加湿装置は、ハニカム状又は格子状の複数の穴が形成された円盤形状の吸着体が中心線回りに回転可能に設けられている。吸着体における一部の領域に水分を含む空気（例えば、外気）を吹き付けることにより、空気中の水分を吸着体に吸着させている。さらに、水分を吸着した吸着体に対してヒータで加熱した空気を吹き付けることにより、水分を吸着体から脱離させている。吸着体が中心線回りに回転することにより、吸着体における水分を吸着した領域が、ヒータで加熱された空気が吹き付けられる位置に移動する。吸着体から脱離した水分を含む空気は室内に放出され、室内が加湿される。
【特許文献１】特許第３２５４３８１号公報
【発明の開示】
【発明が解決しようとする課題】
【０００４】
しかしながら、上述した加湿装置においては、以下の点について配慮がなされていない。
【０００５】
加湿装置の加湿性能を高めるためには、吸着体の表面積を大きくし、吸着する水分の量を増やす必要がある。しかし、吸着体の表面積を大きくするためには、吸着体の直径を大きくする必要があり、吸着体の直径を大きくすることにより加湿装置の外形寸法、特に、吸着体の回転中心と直交する方向の幅寸法が大きくなり、吸着体の周囲にデッドスペースが発生する。
【０００６】
加湿装置は、単体もしくは空気調和機の室内機に組み込まれて室内の壁面などに取付けられる構造であり、壁面からの張出し寸法を抑えたいという要望が大きい。このため、吸着体の直径を大きくして加湿性能を高めることと、加湿装置の小型化を図るということとが、トレードオフの関係になる。
【０００７】
本発明は上記課題を解決するためになされたものであり、その目的は、水分などの吸着物質を吸着及び脱離する性能を向上させることができ、及び、小型化を図ることができる吸着体装置、調湿装置及び空気調和機の室内機を提供することである。
【課題を解決するための手段】
【０００８】
本発明の実施の形態に係る第１の特徴は、吸着体装置において、長尺の板状に形成され、板厚方向に貫通するハニカム状又は格子状の複数の穴を有して空気中に含まれる吸着物質を吸着及び脱離可能な吸着体と、前記吸着体を長手方向に沿った中心線回りに回転可能に収容するケースと、前記ケース内に形成され、前記吸着体の一部が位置する第１空気通路と、前記ケース内に形成され、前記吸着体の他の一部が位置する第２空気通路と、
を備え、前記吸着体が中心線回りに回転することにより、前記吸着体が前記第１空気通路内の位置と前記第２空気通路内の位置とに移動することである。
【０００９】
本発明の実施の形態に係る第２の特徴は、調湿装置において、室内の空気が吸い込まれる吸込口とこの吸込口から吸い込まれた空気が室内に吹き出す吹出口とを有する調湿装置本体と、吸着物質として水分を対象とし、前記調湿装置本体内に設置される第１の特徴に係る吸着体装置と、前記吸着体を前記中心線回りに回転させる駆動部と、前記調湿装置本体内に設置され、空気を吸い込んで吸い込んだ空気を前記第１空気通路内を通して室外に排気する室外排気用ファンと、前記調湿装置本体内に前記吸着体の長手方向と平行に設置され、室内の空気を前記吸込口から吸い込んで吸い込んだ空気を前記第２空気通路内を通して前記吹出口から室内に吹き出す横流ファンと、前記調湿装置本体内に設置され、前記吸着体の前記第１空気通路内に位置する部分と前記吸着体の前記第２空気通路内に位置する部分との少なくとも一方を加熱する加熱部と、を備えることである。
【００１０】
本発明の実施の形態に係る第３の特徴は、空気調和機の室内機において、室内の空気が吸い込まれる吸込口とこの吸込口から吸い込まれた空気が室内に吹き出す吹出口とを有する空気調和機の室内機本体と、前記室内機本体内に設置され、前記吸込口から吸い込まれて前記吹出口から吹き出す空気を加熱する熱交換器と、吸着物質として水分を対象とし、前記室内機本体内に設置される第１の特長に係る吸着体装置と、前記吸着体を中心線回りに回転させる駆動部と、前記室内機本体内に設置され、空気を吸い込んで吸い込んだ空気を前記第１空気通路内を通して室外に排気する室外排気用ファンと、前記室内機本体内に前記吸着体の長手方向と平行に設置され、室内の空気を前記吸込口から吸い込んで吸い込んだ空気を前記第２空気通路内を通して前記吹出口から室内に吹き出す横流ファンと、前記室内機本体内に設置され、前記吸着体の前記第１空気通路内に位置する部分と前記吸着体の前記第２空気通路内に位置する部分との少なくとも一方を加熱する加熱部と、を備えることである。
【発明の効果】
【００１１】
本発明によれば、水分などの吸着物質を吸着及び脱離させる性能を向上させることができ、及び、小型化を図ることができる。
【発明を実施するための最良の形態】
【００１２】
以下、本発明の実施の形態を図面を用いて説明する。
【００１３】
（第１の実施の形態）
本発明の第１の実施の形態に係る調湿装置１は、冬季などの乾燥時に行なわれる室内の加湿と、梅雨などの高湿時に行なわれる室内の除湿との両方を可能とした装置である。調湿装置１は、図３及び図４に示すように、室内と室外とを仕切る壁２の内側面に取付けられる調湿装置本体３を有し、調湿装置本体３の前面部には調湿装置本体３の横幅方向に沿って吸込口４が形成されている。調湿装置本体３の下部には、調湿装置本体３の横幅方向に沿って吹出口５が形成されている。調湿装置本体３は、その背面に図示しない取付け板を備え、室内の壁面にこの取付け板を介して取り付けられる。
【００１４】
調湿装置本体３内には、吸着体装置６と、エアフィルタ７と、遠心形の室外排気用ファン８と、横流ファン９と、加熱部であるヒータ１０、１１と、これらの各電気部品を制御する制御器１２とが設けられている。
【００１５】
吸着体装置６は、図１及び図２に示すように、仕切体である仕切板１３と、２つの吸着体１４ａ、１４ｂと、ケース１５とにより構成されている。
【００１６】
２つの吸着体１４ａ、１４ｂは同じ構造であり、仕切板１３の両面に仕切板１３を挟んで対象となる向きに仕切板１３に固定されている。吸着体１４ａ、１４ｂは、横流ファン９とほぼ同じ長さの長尺の板状に形成され、空気が通過可能なハニカム状の複数の穴１６が板厚方向に貫通して形成されている。吸着体１４ａ、１４ｂは、紙などを基材とする基板の表面にゼオライト等の吸着材粒子を塗付することにより形成されている。吸着材は、低温（室温）で水分や臭い成分等の吸着物質を吸着し、高温になると吸着した水分や臭い成分等の吸着物質を脱離する。なお、穴１６の形状としてはハニカム状に限定されるものではなく、格子状の形状としてもよく、吸着体１４ａ、１４ｂの表面積を大きくできる形状であることが好ましい。また、吸着体１４ａ、１４ｂは、ゼオライト等の吸着材粒子そのものをハニカム状または格子状の形状に焼結させたものでもよい。
【００１７】
仕切板１３は合成樹脂製の薄い平板状の部材であり、吸着体１４ａ、１４ｂを仕切るとともに吸着体１４ａ、１４ｂの長手方向に沿って延出している。仕切板１３の長手方向の両端の中央部には、仕切板１３の長手方向に延出して吸着体１４ａ、１４ｂと仕切板１３との回転中心となる回転軸１７が固定されている。
【００１８】
ケース１５は、吸着体１４ａ、１４ｂと仕切板１３とを回転軸１７の中心線回りに回転可能に保持するものであり、吸着体１４ａ、１４ｂの外周の一部を覆う第１カバー部１８と、第１カバー部１８の両端に固定されて吸着体１４ａ、１４ｂの長手方向の両端部を覆う一対の第２カバー部１９ａ、１９ｂとを有している。第１カバー部１８は、吸着体１４ａ、１４ｂの回転中心周りの約１８０°の範囲を覆う半円筒形状に形成されている。第２カバー部１９ａ、１９ｂは円形に形成され、第２カバー部１９ａ、１９ｂの中心位置には、回転軸１７が回転可能に挿通される挿通穴２０が形成されている。また、一方の第２カバー部１９ａには開口２１ａが形成され、他方の第２カバー部１９ｂには開口２１ｂが形成されている。
【００１９】
吸着体装置６には、空気が流れる第１空気通路２２と第２空気通路２３とが形成されている。
【００２０】
第１空気通路２２は、第１カバー部１８と仕切板１３と第２カバー部１９ａ、１９ｂとに囲まれて形成されている。第１空気通路２２内を流れる空気は、図１において矢印Ａで示すように、一方の開口２１ａから吸着体１４ａの一方の片面側に流入し、吸着体１４ａの長手方向に沿って流れるとともに吸着体１４ａの穴１６を通過して吸着体１４ａの他方の片面側に移動し、他方の開口２１ｂから流出する。
【００２１】
第２空気通路２３は、第２カバー部１９ａ、１９ｂと仕切板１３とにより囲まれて形成されている。第２空気通路２３内を流れる空気は、図１において矢印Ｂで示すように、吸着体１４ｂの穴１６を通過して吸着体１４ｂの長手方向と直交する向きに流れる。なお、仕切板１３は第１カバー部１８の内周面及び第２カバー部１９ａ、１９ｂの内周面に摺接する位置に配置されており、第１空気通路２２と第２空気通路２３との間で空気が行き来することを防止している。
【００２２】
図３及び図４に示すように、吸着体装置６が調湿装置本体３内に設置された場合、図示しない保持機構によりケース１５が位置固定に保持され、回転軸１７には駆動部であるモータ２４が減速機構２５を介して連結されている。モータ２４は、吸着体１４ａ、１４ｂと仕切板１３とを中心線回りに回転駆動させる。減速機構２５は、複数のギアを噛み合わせて構成されている。
【００２３】
調湿装置１には、調湿装置本体３を貫通して調湿装置本体３の外部に延び出し、調湿装置１を壁２に取付けた場合に壁２を貫通して室外に延び出す吸気用パイプ２６と排気用パイプ２７とが設けられている。吸気用パイプ２６における調湿装置本体３内に位置する端部は、第１空気通路２２の一端側の開口２１ａに接続されている。排気用パイプ２７における調湿装置本体３内に位置する端部は、第１空気通路２２の他端側の開口２１ｂに接続されている。
【００２４】
エアフィルタ７は、吸込口４と吸着体装置６との間に配置され、空気を通すことができるメッシュ状に形成されている。吸込口４から調湿装置本体３内に吸い込まれる空気中に埃が含まれている場合、この空気がエアフィルタ７を通過する過程で埃がエアフィルタ７により捕集される。
【００２５】
室外排気用ファン８は、排気用パイプ２７内に設置され、室外排気用ファン８にはこの室外排気用ファン８を回転駆動させるモータ２８が連結されている。室外排気用ファン８が駆動されることにより、室外の空気が吸気用パイプ２６から吸い込まれ、吸い込まれた空気が吸着体装置６の第１空気通路２２内を矢印Ａ方向に流れ、吸着体１４ａの穴１６を通過した後、排気用パイプ２７を通って室外に排気される。
【００２６】
横流ファン９は、長尺円柱形状に形成された貫流送風機であり、調湿装置本体３内で吸着体１４ａ、１４ｂの長手方向と平行に設置されている。さらに、調湿装置１が壁２に取付けられた場合、調湿装置本体３内に設置された横流ファン９は、横流ファン９の長手方向が壁２と平行であって水平な方向に向けられている。なお、調湿装置１の長手方向を垂直方向として壁２に取り付けることも可能であり、この場合、横流ファン９の長手方向は、壁２と平行で垂直方向に位置することになる。横流ファン９の一端側の軸には、横流ファン９を回転駆動させるモータ２９が連結されている。横流ファン９の他端側の軸は室外排気用ファン８のモータ２８と隣接させて軸受けが設けられている。すなわち、横流ファン９と室外排気用ファン８との軸は略一致した位置に配置され、騒音・振動が低減されている。横流ファン９が駆動されることにより、室内の空気が吸込口４から調湿装置本体３内に吸い込まれ、吸い込まれた空気が第２空気通路２３内を図１及び図４に示す矢印Ｂ方向に流れ、第２空気通路２３内を流れた空気が吹出口５から室内に吹き出す。
【００２７】
ヒータ１０、１１のうち、一方のヒータ１０は室内の加湿用に用いられ、他方のヒータ１１は室内の除湿用に用いられる。これらのヒータ１０、１１は、オン状態とオフ状態とに切替可能に設けられ、オン状態に切替えられることにより通電されて発熱する。加湿用のヒータ１０は、吸込口４と吸着体装置６との間の空気流路に配置され、加湿運転時にオン状態に切替えられて発熱することにより、吸込口４から吸い込まれた空気を加熱することで、第２空気通路２３内を流れる空気温度を上げる。一方、除湿用のヒータ１１は、吸気用パイプ２６内に配置され、除湿運転時にオン状態に切替えられて発熱することにより、室外から吸気されて第１空気通路２２内を流れる空気温度を上げる。
【００２８】
制御器１２は、プログラムされたマイコン及びその周辺機器からなる。制御器１２は、調湿装置本体３内に設置された制御対象物の制御を行う。制御器１２には、図５に示すように、吸着体１４ａ、１４ｂを仕切板１３と共に回転駆動させるモータ２４と、室外排気用ファン８を回転駆動させるモータ２８と、横流ファン９を回転駆動させるモータ２９と、ヒータ１０、１１と、調湿装置１の運転状態を操作するリモコン３０からの赤外線信号を受光する受光部３１とが接続されている。
【００２９】
調湿装置１が運転される場合の制御について、図６のフローチャートに基づいて説明する。制御器１２は、リモコン３０から加湿運転の開始信号が入力されたか否か（Ｓ１）、及び、除湿運転の開始信号が入力されたか否か（Ｓ２）を監視している。
【００３０】
加湿運転の開始信号が入力された場合には（Ｓ１のＹＥＳ）、制御器１２に内蔵されているタイマのカウントがスタートし（Ｓ３）、横流ファン９が駆動され（Ｓ４）、室外排気用ファン８が駆動され（Ｓ５）、加湿用のヒータ１０に通電される（Ｓ６）。
【００３１】
ステップＳ５において室外排気用ファン８が駆動されることにより、室外の空気が吸気用パイプ２６内を通って吸い込まれ、吸い込まれた空気が吸着体装置６の第１空気通路２２内を矢印Ａ方向に流れ、排気用パイプ２７内を通って室外に排気される。室外から吸い込まれた空気は、第１空気通路２２内を流れる間に第１空気通路２２内に位置している吸着体１４ａの穴１６を通過し、空気が穴１６を通過する際に空気中に含まれている水分が第１空気通路２２内の吸着体１４ａに吸着される。
【００３２】
また、ステップＳ４において横流ファン９が駆動されることにより、室内の空気が吸込口４から調湿装置本体３内に吸い込まれ、吸込口４から吸い込まれた空気が吸着体装置６の第２空気通路２３内を矢印Ｂ方向に流れ、第２空気通路２３内を流れた後に吹出口５から室内に吹き出す。
【００３３】
さらに、ステップＳ６において加湿用のヒータ１０に通電されてヒータ１０が発熱することにより、吸込口４から吸い込まれた室内空気は、ヒータ１０により加熱され、ヒータ１０により加熱された空気が第２空気通路２３内を流れ、第２空気通路２３内に位置する吸着体１４ｂの穴１６を通過する。これにより、ヒータ１０により加熱された高温の空気によって第２空気通路２３内に位置する吸着体１４ｂが加熱され、加熱された吸着体１４ｂから水分が脱離される。吸着体１４ｂから脱離された水分は、横流ファン９の駆動により吹出口５から吹き出す空気に含まれて室内に放出され、室内の加湿が行われる。
【００３４】
その後、タイマのカウント時間“Ｔ”が、吸着体１４ａに水分を吸着させるために予め設定されている設定時間“ｔｓ１”を経過したか否かが判断され（Ｓ７）、さらに、加湿運転の終了信号が入力されたか否かが判断される（Ｓ８）。
【００３５】
加湿運転の終了信号が入力される前に（Ｓ８のＮＯ）、タイマのカウント時間“Ｔ”が設定時間“ｔｓ１”を経過した場合には（Ｓ７のＹＥＳ）、モータ２４が駆動されて吸着体１４ａ、１４ｂが仕切板１３と共に１８０°回転し（Ｓ９）、タイマがリセットされてタイマのカウントが再スタートする（Ｓ１０）。
【００３６】
ステップＳ９において吸着体１４ａ、１４ｂが１８０°回転することにより、回転前に第１空気通路２２内に位置して室外の空気中に含まれる水分を吸着した吸着体１４ａが、第２空気通路２３内に移動する。吸着体１４ａ、１４ｂが回転した後において、仕切板１３は第１空気通路２２と第２空気通路２３との間を仕切る位置に位置し、第１空気通路２２と第２空気通路２３とは引き続き仕切られている。吸着体１４ａが第１空気通路２２内から第２空気通路２３内に移動すると、この吸着体１４ａの穴１６を、横流ファン９の駆動により送風される空気であってヒータ１０により加熱された高温の空気が通過し、吸着体１４ａが加熱される。これにより、第２空気通路２３内に移動した吸着体１４ａから水分が脱離される。吸着体１４ａから脱離された水分は、横流ファン９の駆動により吹出口５から吹き出す空気に含まれて室内に放出され、室内の加湿が行われる。
【００３７】
また、吸着体１４ｂが１８０°回転することにより、回転前に第２空気通路２３内に位置してヒータ１０により加熱された高温の空気によって水分を脱離された吸着体１４ｂが、第１空気通路２２内に移動する。吸着体１４ｂが第２空気通路２３内から第１空気通路２２内に移動すると、この吸着体１４ｂの穴１６を、室外排気用ファン８の駆動により送風される相対的に低温の室外の空気が通過し、この空気中に含まれる水分が吸着体１４ｂに吸着される。
【００３８】
ステップＳ１０においてタイマが再スタートしてから、タイマのカウント時間“Ｔ”が設定時間“ｔｓ１”を経過したか否かと、加湿運転の終了信号が入力されたか否かとが繰り返し判断される（Ｓ７、Ｓ８）。そして、加湿運転の終了信号が入力される前に（Ｓ８のＮＯ）、タイマのカウント時間“Ｔ”が設定時間“ｔｓ１”を経過した場合には（Ｓ７のＹＥＳ）、モータ２４が駆動されて吸着体１４ａ、１４ｂが仕切板１３と共に再び１８０°回転する（Ｓ９）。
【００３９】
このようにして、吸着体１４ａ、１４ｂが設定時間“ｔｓ１”毎に１８０°回転することにより、室外の空気中の水分が吸着体１４ａ（又は、１４ｂ）に吸着され、吸着された水分が吸着体１４ｂ（又は、１４ａ）から脱離され、吸着体１４ｂ（又は、１４ａ）から脱離された水分が室内に放出され、室内の加湿が継続して行われる。
【００４０】
使用者の操作によりリモコン３０から加湿運転の終了信号が入力された場合は（Ｓ８のＹＥＳ）、タイマがリセットされ（Ｓ１１）、横流ファン９の駆動が停止され（Ｓ１２）、室外排気用ファン８の駆動が停止され（Ｓ１３）、加湿用のヒータ１０への通電が停止され（Ｓ１４）、加湿運転が終了する。
【００４１】
一方、除湿運転の開始信号が入力された場合には（Ｓ２のＹＥＳ）、制御器１２に内蔵されているタイマのカウントがスタートし（Ｓ１５）、横流ファン９が駆動され（Ｓ１６）、室外排気用ファン８が駆動され（Ｓ１７）、除湿用のヒータ１１に通電される（Ｓ１８）。この場合には、当然ながら加湿用のヒータ１０への通電は行なわれない。
【００４２】
ステップＳ１６において横流ファン９が駆動されることにより、室内の空気が吸込口４から調湿装置本体３内に吸い込まれ、吸い込まれた空気が吸着体装置６の第２空気通路２３内を矢印Ｂ方向に流れ、第２空気通路２３内を流れた後に吹出口５から室内に吹き出す。室内の空気が第２空気通路２３内を流れ、第２空気通路２３内に位置している吸着体１４ｂの穴１６を通過することにより、室内の空気中に含まれている水分が第２空気通路２３内の吸着体１４ｂに吸着され、吹出口５からは含有水分が少なくなった空気が室内に吹き出す。
【００４３】
また、ステップＳ１７において室外排気用ファン８が駆動されることにより、室外の空気が吸気用パイプ２６から吸い込まれ、吸い込まれた空気が吸着体装置６の第１空気通路２２内を矢印Ａ方向に流れ、第１空気通路２２内に位置する吸着体１４ａの穴１６を通過し、排気用パイプ２７内を通って室外に排気される。
【００４４】
さらに、ステップＳ１８において除湿用のヒータ１１に通電されてヒータ１１が発熱することにより、室外から吸い込まれて第１空気通路２２内を矢印Ａ方向に流れる空気が加熱される。このため、ヒータ１１により加熱された高温の空気が第１空気通路２２内に位置する吸着体１４ａの穴１６を通過した場合に、吸着体１４ａが加熱され、吸着体１４ａから水分が脱離される。吸着体１４ａから脱離された水分は、第１空気通路２２内を流れた後に排気用パイプ２７内を通って室外に排気される空気中に水蒸気として含まれ、室外に放出される。
【００４５】
その後、タイマのカウント時間“Ｔ”が、吸着体１４ａから水分を脱離させるために予め設定されている設定時間“ｔｓ２”を経過したか否かが判断され（Ｓ１９）、さらに、除湿運転の終了信号が入力されたか否かが判断される（Ｓ２０）。
【００４６】
除湿運転の終了信号が入力される前に（Ｓ２０のＮＯ）、タイマのカウント時間“Ｔ”が設定時間“ｔｓ２”を経過した場合には（Ｓ１９のＹＥＳ）、モータ２４が駆動されて吸着体１４ａ、１４ｂが仕切板１３と共に１８０°回転し（Ｓ２１）、タイマがリセットされてタイマのカウントが再スタートする（Ｓ２２）。
【００４７】
ステップＳ２１において吸着体１４ａ、１４ｂが１８０°回転することにより、回転前に第２空気通路２３内に位置して室内の空気中に含まれる水分が吸着された吸着体１４ｂが、第１空気通路２２内に移動する。吸着体１４ｂが第２空気通路２３から第１空気通路２２内に移動すると、この吸着体１４ｂの穴１６を、室外排気用ファン８の駆動により送風される空気であってヒータ１１により加熱された高温となった室外空気が通過し、吸着体１４ｂが加熱される。これにより、第１空気通路２２内に移動した吸着体１４ｂから水分が脱離され、吸着体１４ｂから脱離された水分は、水蒸気となり排気用パイプ２７内を通って室外に排気される。
【００４８】
また、吸着体１４ａが１８０°回転することにより、回転前に第１空気通路２２内に位置して水分を脱離された吸着体１４ａが、第２空気通路２３内に移動する。吸着体１４ａが第１空気通路２２内から第２空気通路２３内に移動すると、この吸着体１４ａの穴１６を、横流ファン９の駆動により通風される相対的に低温の室内空気が通過し、第２空気通路２３内の吸着体１４ａに室内の空気中の水分が吸着され、室内の除湿が行われる。
【００４９】
ステップＳ２２においてタイマが再スタートしてから、タイマのカウント時間“Ｔ”が設定時間“ｔｓ２”を経過したか否かと、除湿運転の終了信号が入力されたか否かとが繰り返し判断される（Ｓ１９、Ｓ２０）。そして、除湿運転の終了信号が入力される前に（Ｓ２０のＮＯ）、タイマのカウント時間“Ｔ”が設定時間“ｔｓ２”を経過した場合には（Ｓ１９のＹＥＳ）、モータ２４が駆動されて吸着体１４ａ、１４ｂが仕切板１３と共に再び１８０°回転する（Ｓ２１）。
【００５０】
このようにして、吸着体１４ａ、１４ｂが設定時間“ｔｓ２”毎に１８０°回転することにより、室内の空気中の水分が吸着体１４ｂ（又は、１４ａ）に吸着され、吸着された水分が室外に放出され、室内の除湿が継続して行われる。
【００５１】
除湿運転の終了信号が入力された場合は（Ｓ２０のＹＥＳ）、タイマがリセットされ（Ｓ２３）、横流ファン９の駆動が停止され（Ｓ２４）、室外排気用ファン８の駆動が停止され（Ｓ２５）、除湿用のヒータ１１への通電が停止され（Ｓ２６）、除湿運転が終了する。
【００５２】
吸着体１４ａ、１４ｂに水分を吸着させるための最適な設定時間“ｔｓ１”と、吸着体１４ｂ、１４ａから水分を脱離させるための最適な設定時間“ｔｓ２”との関係は、横流ファン９や室外排気用ファン８の送風能力や空気中の水分含有量等により変動するが、一般的には、吸着に要する時間は脱離に要する時間よりも長い。そこで、例えば、設定時間“ｔｓ１”を１０分、設定時間“ｔｓ２”を６分と設定することができるが、結局のところ、除湿、加湿のいずれにおいても吸着体１４ａ、１４ｂは水分の吸着と脱離を交互に実施しているため、この時間設定はそれほど問題ではなく、吸着体１４ａ、１４ｂに吸着された水分が飽和した後も吸着のための空気の流れを継続しない程度に短い時間に設定することが肝心である。
【００５３】
なお、吸着材として、水分だけでなく臭い成分等の吸着及び脱離を可能なものを用いれば、調湿装置１の除湿運転時には、室内の臭い成分が第２空気通路２３内の吸着体１４ｂ（又は、１４ａ）に吸着され、吸着された臭い成分は、ヒータ１１により加熱した空気を第１空気通路２２内に通過させることにより吸着体１４ａ（又は１４ｂ）から脱離される。これにより、室内の除湿と共に、室内の臭い成分を除去することができる。
【００５４】
また、本実施の形態では、加湿運転の終了信号が入力された場合（Ｓ８のＹＥＳ）、及び、除湿運転の終了信号が入力された場合（Ｓ２０のＹＥＳ）において、それらの終了信号が入力された直後に横流ファン９の駆動を停止させ（Ｓ１２、Ｓ２４）、及び、室外排気用ファン８の駆動を停止させている（Ｓ１３、Ｓ２５）。
【００５５】
しかし、加湿運転時には、ヒータ１０への通電が停止された後の所定時間経過後（例えば、２分間経過後）に横流ファン９の駆動を停止させるようにしてもよく、除湿運転時には、ヒータ１１への通電が停止された後の所定時間経過後（例えば、２分間経過後）に室外排気用ファン８の駆動を停止させるようにしてもよい。これにより、通電が停止されたヒータ１０、１１に対して所定時間送風することができ、ヒータ１０、１１の冷却を促進することができる。
【００５６】
このような構成において、吸着体１４ａ、１４ｂ及び吸着体１４ａ、１４ｂを含む吸着体装置６が長尺状に形成され、吸着体装置６が調湿装置本体３内に横流ファン９と平行な向きに設置されている。もともと横流ファン９は長尺状の形状をしているため、吸着体１４ａ、１４ｂ及び吸着体装置６の長手方向の寸法を大きくし、この吸着体装置６を調湿装置本体３内に設置した場合に、吸着体装置６の周囲にデッドスペースが発生しない。このため、吸着体１４ａ、１４ｂの長手方向の寸法を大きくして吸着体１４ａ、１４ｂの表面積を大きくすることにより調湿性能を高めることができる。さらに、吸着体装置６の周囲にデッドスペースが発生すること、及び、調湿装置本体３における吸着体１４ａ、１４ｂの長手方向と直交する方向の外径寸法が大きくなることを防止することができ、調湿装置１の小型化を図ることができる。
【００５７】
また、吸着体装置６には、第１空気通路２２と第２空気通路２３とが形成され、吸着体１４ａ、１４ｂを中心線回りに回転させることにより、吸着体１４ａ（又は、１４ｂ）が第１空気通路２２内に位置する状態と第２空気通路２３内に位置する状態とに切替えることができる。このため、一方の空気通路に水分を吸着させるための空気を流し、他方の空気通路に吸着された水分を脱離させるための加熱した空気を流し、吸着体１４ａ、１４ｂを中心線回りに回転させることにより、加湿運転又は除湿運転を連続して行うことができる。
【００５８】
さらに、加湿運転時には、壁２と平行に配置されている横流ファン９を用いて、吸着体１４ａ、１４ｂから脱離された水分を含む空気を、調湿装置本体３の横幅方向に沿って形成された吹出口５から室内全域に幅広く吹き出させることができる。また、除湿運転時には、水分を吸着体１４ａ、１４ｂに吸着させた後の含有水分が少なくなった空気を、調湿装置本体３の横幅方向に沿って形成された吹出口５から室内全域に幅広く吹き出させることができる。これにより、室内の加湿性能及び除湿性能を高めることができる。
【００５９】
なお、本実施形態では、加湿機能と除湿機能とを備える調湿装置を例に挙げて説明したが、本発明を適用できる調湿装置としては、加湿機能と除湿機能とのいずれか一方の機能のみを有する調湿装置であってもよい。
【００６０】
（第２の実施の形態）
本発明の第２の実施の形態に係る空気調和機の室内機４０について、図７ないし図１０に基づいて説明する。なお、第２の実施の形態及びこれ以降の他の実施の形態において、先行して説明した実施の形態の構成要素と同じ構成要素には同じ符号を付け、重複する説明は省略する。この室内機４０を有する空気調和機においては、図１及び図２に示す吸着体装置６を用いて加湿運転が行われる。
【００６１】
室内機４０は、室内と室外とを仕切る壁２の内側面に取付けられる室内機本体４１を有し、室内機本体４１の前面部と上面部とには複数の吸込口４２が形成されている。室内機本体４１の下部には、ルーバー４３により開度を調整可能な吹出口４４が形成されている。
【００６２】
室内機本体４１内には、エアフィルタ４５と、加熱部としても機能する熱交換器４６と、横流ファン４７と、室外排気用ファン４８と、吸着体装置６と、制御器４９とが設けられている。
【００６３】
エアフィルタ４５は、室内機本体４１の前面部と上面部との吸込口４２に対向する位置に配置され、メッシュ状に形成されている。吸込口４２から吸い込まれる空気中に埃が含まれている場合、この空気がエアフィルタ４５を通過する過程で埃がエアフィルタ４５により捕集される。
【００６４】
熱交換器４６は、室外に設置されている室外機（図示せず）内に設けられている室外熱交換器等に２本の冷媒配管５０、５１によって接続され、内部に冷媒が流れ、冷房運転状態と暖房運転状態とに切替可能に設けられている。熱交換器４６は、冷房運転時には低温となって熱交換器４６の周囲を流れる空気を冷却し、暖房運転時には高温となって熱交換器４６の周囲を流れる空気を加熱する。
【００６５】
室外排気用ファン４８には、この室外排気用ファン４８を回転駆動させるモータ５２が連結されている。室外排気用ファン４８は、図３において説明した室外排気用ファン８と同じもので、室外排気用ファン４８が回転駆動されることにより、室外の空気が吸気用パイプ２６内を流れて吸着体装置６の第１空気通路２２内に流入し、流入した空気は第１空気通路２２内を流れた後に排気用パイプ２７内を通って室外に排気される。なお、吸気用パイプ２６と排気用パイプ２７及び２本の冷媒配管５０、５１は、壁２に形成された１つの孔２ａに挿通されている。この孔２ａは、室内機本体４１の背面側であって室内側からは見えない位置に設けられ、見栄えを良くしている。
【００６６】
横流ファン４７は、長尺円柱形状に形成された貫流送風機であり、吸着体１４ａ、１４ｂの長手方向と平行に設置されている。室内機本体４１内に設置された横流ファン４７は、室内機４０が壁２に取り付けられた場合、横流ファン４７の長手方向が壁２と平行であって水平な方向に向けられている。横流ファン４７には、この横流ファン４７を回転駆動させるモータ５３が連結されている。横流ファン４７が駆動されることにより、室内の空気が吸込口４２から室内機本体４１内に吸い込まれ、吸い込まれた空気が熱交換器４６の周囲を通過することにより加熱され又は冷却され、加熱された温風又は冷却された冷風となって吹出口４４から室内に吹き出す。
【００６７】
吸着体装置６は、図１及び図２に示すように、仕切板１３と、２つの吸着体１４ａ、１４ｂと、ケース１５とにより構成され、ケース１５内に第１空気通路２２と第２空気通路２３とが形成されている。吸着体装置６は、室内機本体４１と熱交換器４６の下端側との間に配置され、及び、第２空気通路２３が上下方向を向く向きに配置されている。
【００６８】
室内機本体４１内における吹出口４４と吸着体装置６との間には、モータ５４に連結され、横流ファン４７により吹出口４４に向けて送風される空気の一部を第２空気通路２３内に導く位置と第２空気通路２３内に導くことを遮断する位置とに回動可能な案内部であるダンパ５５が設けられている。図７は、横流ファン４７により送風される空気の一部を第２空気通路２３内に導く位置にダンパ５５が回動した状態を示している。ダンパ５５が回動して吹出口４４に向けて送風される空気の一部が第２空気通路２３内に導かれた場合、第２空気通路２３内を流れた空気は、吸込口４２から吸い込まれた空気と共に熱交換器４６の周囲に向けて流れる。
【００６９】
制御器４９は、プログラムされたマイコン及びその周辺機器からなる。制御器４９は、室内機本体４１内に設置された制御対象物の制御を行う。制御器４９には、図９に示すように、吸着体１４ａ、１４ｂを仕切板１３と共に回転駆動させるモータ２４と、室外排気用ファン４８を回転駆動させるモータ５２と、横流ファン４７を回転駆動させるモータ５３と、ダンパ５５を駆動させるモータ５４と、室外機に設けられる圧縮機５６を回転駆動させるモータ５７とが接続されている。さらに、制御器４９には、熱交換器４６の温度を検知する温度センサ５８と、空気調和機の運転状態を操作するリモコン５９からの赤外線信号を受光する受光部６０とが接続されている。
【００７０】
空気調和機が運転される場合の制御について、図１０のフローチャートに基づいて説明する。制御器４９は、リモコン５９からの信号の入力の有無を監視している（Ｓ３１）。リモコン５９からの信号の入力が有った場合は（Ｓ３１のＹＥＳ）、その信号が暖房運転の開始信号であるか否かが判断され（Ｓ３２）、及び、加湿運転の開始信号であるか否かが判断される（Ｓ３３）。
【００７１】
入力された信号が暖房運転の開始信号でない場合は（Ｓ３２のＮＯ）、入力された暖房運転以外のモードによる運転制御が行われる（Ｓ３４）。また、暖房運転の開始信号が入力されたが（Ｓ３２のＹＥＳ）、加湿運転の開始信号は入力されない場合は（Ｓ３３のＮＯ）、加湿運転を伴わない通常の暖房運転制御が行われる（Ｓ３５）。
【００７２】
暖房運転の開始信号が入力され（Ｓ３２のＹＥＳ）、かつ、加湿運転の開始信号が入力された場合は（Ｓ３３のＹＥＳ）、暖房運転に加え加湿運転が実行される。なお、加湿運転が実行されるのは、室内に温風が吹き出す暖房運転時のみである。
【００７３】
加湿運転の開始信号が入力された場合には（Ｓ３３のＹＥＳ）、制御器４９に内蔵されているタイマのカウントがスタートし（Ｓ３６）、熱交換器４６の温度を測定する温度センサ５８の値が読込まれる（Ｓ３７）。そして、温度センサ５８の測定値に基づいて、温度センサ５８の値が加湿運転に適した目標値まで上昇するように圧縮機駆動用のモータ５７の運転周波数が制御される（Ｓ３８）。これにより、吹出口４４から吹き出す温風の温度が、吸着体装置６を使用した加湿用に適した温度に上昇、維持される。
【００７４】
さらに、ダンパ５５が回動し（Ｓ３９）、横流ファン４７が駆動され（Ｓ４０）、室外排気用ファン４８が駆動される（Ｓ４１）。ダンパ５５が回動することにより、吹出口４４から吹き出す温風の一部が吸着体装置６の第２空気通路２３側に送風可能となる。
【００７５】
ステップＳ４１において室外排気用ファン４８が駆動されることにより、室外の空気が吸気用パイプ２６内を通って室内機本体４１内に吸い込まれ、吸い込まれた空気が吸着体装置６の第１空気通路２２内を流れ、第１空気通路２２内を流れた後に排気用パイプ２７内を通って室外に排気される。室外から吸い込まれた空気は、第１空気通路２２内を流れる間に第１空気通路２２内に位置している吸着体１４ａの穴１６を通過し、空気中に含まれている水分が第１空気通路２２内の吸着体１４ａに吸着される。
【００７６】
また、ステップＳ４０において横流ファン４７が駆動されることにより、室内の空気が吸込口４２から室内機本体４１内に吸い込まれ、吸い込まれた空気が熱交換器４６により加熱され、温風となって吹出口４４から室内に吹き出し、暖房運転が行われる。
【００７７】
さらに、ステップＳ３９においてダンパ５５が回動することにより、熱交換器４６により加熱されて吹出口４４側へ送風される温風の一部が吸着体装置６の第２空気通路２３側へ導かれ、この温風が第２空気通路２３内を流れ、第２空気通路２３内に位置する吸着体１４ｂの穴１６を通過した後に再び熱交換器４６側へ吸い込まれる、いわゆるショートサーキットを構成する。このため、熱交換器４６は、第２空気通路２３内を流れる空気を加熱する加熱手段として機能し、熱交換器４６により加熱された温風が第２空気通路２３内の吸着体１４ｂの穴１６を通過することにより吸着体１４ｂが加熱され、加熱された吸着体１４ｂから水分が脱離される。吸着体１４ｂから脱離された水分は、熱交換器４６により加熱されて吹出口４４から吹き出す温風中に含まれて室内に放出され、室内の暖房と加湿とが行われる。
【００７８】
その後、タイマのカウント時間“Ｔ”が、吸着体１４ａに水分を吸着させるために予め設定されている設定時間“ｔｓ１”を経過したか否かが判断され（Ｓ４２）、さらに、加湿運転の終了信号が入力されたか否かが判断される（Ｓ４３）。
【００７９】
加湿運転の終了信号が入力される前に（Ｓ４３のＮＯ）、タイマのカウント時間“Ｔ”が設定時間“ｔｓ１”を経過した場合には（Ｓ４２のＹＥＳ）、モータ２４が駆動されて吸着体１４ａ、１４ｂが仕切板１３と共に１８０°回転し（Ｓ４４）、タイマがリセットされてタイマのカウントが再スタートする（Ｓ４５）。
【００８０】
ステップＳ４４において吸着体１４ａ、１４ｂが１８０°回転することにより、回転前に第１空気通路２２内に位置して室外の空気中に含まれる水分を吸着した吸着体１４ａが、第２空気通路２３内に移動する。吸着体１４ａ、１４ｂが回転した後において、仕切板１３は第１空気通路２２と第２空気通路２３との間を仕切る位置に位置し、第１空気通路２２と第２空気通路２３とは引き続き仕切られている。吸着体１４ａが第１空気通路２２から第２空気通路２３内に移動すると、この吸着体１４ａの穴１６を、熱交換器４６により加熱されてダンパ５５により案内された温風が通過し、吸着体１４ａが加熱される。これにより、第２空気通路２３内に移動した吸着体１４ａから水分が脱離される。吸着体１４ａから脱離された水分は、熱交換器４６により加熱されて吹出口４４から吹き出す温風中に含まれて室内に放出され、室内の暖房と加湿とが行われる。
【００８１】
また、吸着体１４ｂが１８０°回転することにより、回転前に第２空気通路２３内に位置して熱交換器４６により加熱された温風によって水分が脱離された吸着体１４ｂが、第１空気通路２２内に移動する。吸着体１４ｂが第２空気通路２３内から第１空気通路２２内に移動すると、この吸着体１４ｂの穴１６を、室外排気用ファン４８の駆動により送風される相対的に低温の室外の空気が通過し、この空気中に含まれる水分が吸着体１４ｂに吸着される。
【００８２】
ステップＳ４５においてタイマが再スタートしてから、タイマのカウント時間“Ｔ”が設定時間“ｔｓ１”を経過したか否かと、加湿運転の終了信号が入力されたか否かとが繰り返し判断される（Ｓ４２、Ｓ４３）。そして、加湿運転の終了信号が入力される前に（Ｓ４３のＮＯ）、タイマのカウント時間“Ｔ”が設定時間“ｔｓ１”を経過した場合には（Ｓ４２のＹＥＳ）、モータ２４が駆動されて吸着体１４ａ、１４ｂが仕切板１３と共に再び１８０°回転する（Ｓ４４）。
【００８３】
このようにして、吸着体１４ａ、１４ｂが設定時間“ｔｓ１”毎に１８０°回転することにより、室外の空気中の水分が吸着体１４ａ（又は、１４ｂ）に吸着され、吸着された水分が吸着体１４ｂ（又は、１４ａ）から脱離され、吸着体１４ｂ（又は、１４ａ）から脱離された水分が室内に放出され、暖房運転時における室内の加湿が継続して行われる。
【００８４】
使用者の操作によりリモコン５９から加湿運転の終了信号が入力された場合は（Ｓ４３のＹＥＳ）、タイマがリセットされ（Ｓ４６）、室外排気用ファン４８の駆動が停止され（Ｓ４７）、ダンパ５５が吸着体装置６側への送風を遮断する位置へ回動し（Ｓ４８）、通常暖房の運転制御が開始される（Ｓ３５）。
【００８５】
このような構成において、吸着体１４ａ、１４ｂ及び吸着体１４ａ、１４ｂを含む吸着体装置６が横流ファン９とほぼ同じ長さの長尺状に形成され、吸着体装置６が室内機本体４１内に横流ファン９と平行な向きに設置されている。このため、吸着体１４ａ、１４ｂ及び吸着体装置６の長手方向の寸法を大きくし、この吸着体装置６を室内機本体４１内に設置した場合に、吸着体装置６の周囲にデッドスペースが発生しない。このため、吸着体１４ａ、１４ｂの長手方向の寸法を大きくして吸着体１４ａ、１４ｂの表面積を大きくすることにより加湿性能を高めることができる。さらに、吸着体装置６の周囲にデッドスペースが発生すること、及び、室内機本体４１における吸着体１４ａ、１４ｂの長手方向と直交する方向の外径寸法が大きくなることを防止することができ、室内機４０の小型化を図ることができる。
【００８６】
しかも、吸着体装置６は、室内機本体４１と熱交換器４６の下端側との間に設置されており、この箇所に吸着体装置６を設置しても、吸込口４２からの室内空気の吸い込みの妨げにはならない。このため、室内機本体４１内に吸着体装置６を設置しても、暖房運転時及び冷房運転時の風量が低下せず、暖房性能及び冷房性能を維持することができる。
【００８７】
また、吸着体１４ａ、１４ｂから水分を脱離させるために第２空気通路２３を流れる空気を加熱する手段として熱交換器４６を用いているため、再生用(脱離用)ヒータを別個に設けることが不要となる。このように熱交換器４６の熱を水分脱離のための加熱手段として機能させることで、安全性を向上させることができる。さらに、第２空気通路２３に空気を流す送風機として室内機４０に既存の横流ファン４７を用いるため、第２空気通路２３に空気を流すための新たな送風機を設けることが不要となり、加湿機能を有する空気調和機を極めてコンパクトに構成することができる。また、室外排気用ファン４８の入口側にダンパ等の空気流路の切換手段を設け、吸込み空気として第２空気通路２３内を流れる空気、又は、室内空気の切換ができるようにすれば、加湿運転時以外の時間は室外排気用ファン４８を換気装置として機能させることができる。
【００８８】
吸着体１４ｂ（又は、１４ａ）から脱離されて室内を加湿する水分は、暖房運転時に吹出口４４から吹き出す温風に含まれて室内に放出されるため、室内全域に対して幅広く放出され、室内を均一に加湿することができる。
【００８９】
（第３の実施の形態）
本発明の第３の実施の形態に係る空気調和機の室内機４０Ａについて、図１１ないし図１３に基づいて説明する。この室内機４０Ａの基本的な構造は第２の実施の形態に係る室内機４０と同じであり、吸着体装置６Ａを有し、暖房運転時において加湿運転を行うことができる。但し、この室内機４０Ａは、第２の実施の形態に係る室内機４０から吸気用パイプ２６を無くしたもので、室外から吸引する空気の代わりに室内の空気を吸着体装置６Ａ内に吸引し、室内の空気中に含まれる水分を吸着体１４ａ（又は、１４ｂ）に吸着させる。この変更部分以外は、第２の実施の形態と同一であるため、その説明を省略し、以下、変更部分を重点的に説明する。
【００９０】
吸着体装置６Ａは、仕切板１３と、２つの吸着体１４ａ、１４ｂと、ケース６１とにより構成されている。
【００９１】
ケース６１は、吸着体１４ａ、１４ｂと仕切板１３とを回転軸１７の中心線回りに回転可能に保持するものであり、吸着体１４ａ、１４ｂの外周の一部を覆う第１カバー部６２と、第１カバー部６２の両端に固定されて吸着体１４ａ、１４ｂの長手方向の両端部を覆う一対の第２カバー部６３ａ、６３ｂとを有している。第１カバー部６２は、吸着体１４ａ、１４ｂの回転中心周りの約９０°の範囲を覆う１／４円筒形状に形成されている。すなわち、第１カバー部６２の３／４円の２７０°の部分は、開口している。第２カバー部６３ａ、６３ｂは円形に形成され、第２カバー部６３ａ、６３ｂの中心位置には、回転軸１７が回転可能に挿通される挿通穴２０が形成されている。また、一方の第２カバー部６３ｂには開口６４が形成され、他方の第２カバー部６３ａには開口は設けられていない。
【００９２】
吸着体装置６Ａには、空気が流れる第１空気通路６５と第２空気通路６６とが形成されている。
【００９３】
第１空気通路６５は、第１カバー部６２と仕切板１３と第２カバー部６３ａ、６３ｂとに囲まれて形成されている。第１空気通路６５内を流れる空気は、図１２において矢印Ｃで示すように、吸着体１４ａ（又は、１４ｂ）の穴１６を通過して第１空気通路６５中の第１カバー部６２に覆われた領域内に流入し、開口６４から流出する。この開口６４には、排気用パイプ２７における室内機本体４１内に位置する端部が接続されている。
【００９４】
第２空気通路６６は、第２カバー部６３ａ、６３ｂと仕切板１３とにより囲まれて形成されている。第２空気通路６６内を流れる空気は、図１３において矢印Ｄで示すように、吸着体１４ｂ（又は１４ａ）の穴１６を通過して吸着体１４ｂの長手方向と直交する向きに流れる。なお、仕切板１３は、第１空気通路６５と第２空気通路６６との間での空気が行き来することを防止している。
【００９５】
吸着体装置６Ａは、室内機本体４１と熱交換器４６の下端側との間に配置され、及び、第２空気通路６６が斜め下方向きとなる方向に配置されている。
【００９６】
室内機本体４１の正面側下部には、吸着体装置６における第１空気通路６５の入口側に対向する位置に、開口６７が形成されている。この開口６７は、吸着体装置６Ａの横幅寸法と略同じ寸法を有し、室内機４０Ａの横幅方向に沿って細長く形成されている。
【００９７】
室内機本体４１内における吹出口４４と吸着体装置６Ａとの間には、横流ファン４７により吹出口４４に向けて送風される空気の一部を第２空気通路６６内に導く位置と第２空気通路６６内に導くことを遮断する位置とに回動可能な案内部であるダンパ５５が設けられている。図１３は、横流ファン４７により送風される空気の一部を第２空気通路６６内に導く位置にダンパ５５が回動した状態を示している。ダンパ５５が回動して吹出口４４に向けて送風される空気の一部が第２空気通路６６内に導かれた場合、その空気は第２空気通路６６内を流れた後に吹出口４４から室内に吹き出す。
【００９８】
このような構成において、暖房運転時に加湿運転を開始すると、室外排気用ファン４８が駆動され、及び、ダンパ５５が図１３に示す位置に回動し、さらに、吸着体１４ａ、１４ｂが設定した時間毎に１８０°ずつ回転する。
【００９９】
室外排気用ファン４８が駆動されることにより、室内の空気が開口６７から吸着体装置６Ａ内に吸入され、図１２の矢印Ｃで示すように第１空気通路６５内を流れる。第１空気通路６５内を流れる空気は、室内機の吸込み室内空気であるため、室内機の吹出し空気に対し相対的に低温であり、この空気は、吸着体１４ａ（又は、１４ｂ）の穴１６を通過し、空気がこの穴１６を通過することにより空気中に含まれる水分が吸着体１４ａ（又は、１４ｂ）に吸着される。含有していた水分が吸着体１４ａ（又は、１４ｂ）に吸着されることにより含有水分が少なくなった乾燥空気が、開口６４から流出し、排気用パイプ２７内を通って室外に排気される。
【０１００】
一方、ダンパ５５が図１３に示す位置に回動することにより、熱交換器４６により加熱されて横流ファン４７により送風される高温の空気が、ダンパ５５により第２空気通路６６内に導かれる。第２空気通路６６内に導かれた高温の空気は、第２空気通路６６内に位置する吸着体１４ｂ（又は、１４ａ）の穴１６を通過し、吸着体１４ｂ（又は、１４ａ）を加熱する。吸着体１４ｂ（又は、１４ａ）が加熱されることにより、吸着体１４ｂ（又は、１４ａ）から水分が脱離される。第２空気通路６６内を流れる空気は、第２空気通路６６内を流れた後に吹出口４４から室内に吹き出す。吸着体１４ｂ（又は、１４ａ）から脱離された水分は、第２空気通路６６内を流れた後に吹出口４４から吹き出す空気中に含まれて室内に放出され、室内が加湿される。
【０１０１】
そして、設定時間毎に吸着体１４ａ、１４ｂが１８０°ずつ回転し、吸着体１４ａ、１４ｂが水分の吸着が行われる第１空気通路６５内から水分の脱離が行われる第２空気通路６６内へと移動することにより、室内の加湿が継続して行われる。
【０１０２】
この第３の実施の形態によれば、壁２を貫通して室外へ延び出すパイプが排気用パイプ２７と冷媒配管５０、５１となるため、壁２の孔２ａを小さくすることができる。
【０１０３】
また、室内の空気を開口６７から吸着体装置６Ａ内に吸入するため、加湿用の空気を吸入する際の通風抵抗を小さくすることができる。
【０１０４】
さらに、室外排気用ファン４８による送風は室内空気を室外に排気することになるため、加湿運転の運転／停止にかかわらず室外排気用ファン４８を運転することで、室内換気が可能になるという効果がある。
【図面の簡単な説明】
【０１０５】
【図１】本発明の第１の実施の形態に係る吸着体装置を示す斜視図である。
【図２】図１に示す吸着体装置の分解斜視図である。
【図３】図１に示す吸着体装置を用いた調湿装置の概略を示す水平断面図である。
【図４】その調湿装置を示す縦断側面図である。
【図５】その調湿装置の電気的接続構造を示すブロック図である。
【図６】調湿装置の運転制御について説明するフローチャートである。
【図７】本発明の第２の実施の形態に係る空気調和機の室内機を示す縦断側面図である。
【図８】本発明の第２の実施の形態に係る空気調和機の室内機の概略を示す水平断面図である。
【図９】空気調和機の室内機の電気的接続構造を示すブロック図である。
【図１０】空気調和機の運転制御について説明するフローチャートである。
【図１１】本発明の第３の実施の形態に係る吸着体装置を示す分解斜視図である。
【図１２】図１１に示す吸着体装置を用いた空気調和機の室内機の概略を示す水平断面図である。
【図１３】その室内機を示す縦断側面図である。
【符号の説明】
【０１０６】
３…調湿装置本体、４…吸込口、５…吹出口、６…吸着体装置、６Ａ…吸着体装置、８…室外排気用ファン、９…横流ファン、１０、１１…加熱部、１３…仕切体、１４ａ、１４ｂ…吸着体、１５…ケース、１６…穴、２２…第１空気通路、２３…第２空気通路、２４…駆動部、４１…室内機本体、４２…吸込口、４４…吹出口、４６…熱交換器、加熱部、５５…案内部、６５…第１空気通路、６６…第２空気通路
【図１】
2009024917.tif 000003
【図２】
2009024917.tif 000004
【図３】
2009024917.tif 000005
【図４】
2009024917.tif 000006
【図５】
2009024917.tif 000007
【図６】
2009024917.tif 000008
【図７】
2009024917.tif 000009
【図８】
2009024917.tif 000010
【図９】
2009024917.tif 000011
【図１０】
2009024917.tif 000012
【図１１】
2009024917.tif 000013
【図１２】
2009024917.tif 000014
【図１３】
2009024917.tif 000015